【手続補正書】
【提出日】平成29年3月3日(2017.3.3)
【手続補正１】
【補正対象書類名】特許請求の範囲
【補正対象項目名】全文
【補正方法】変更
【補正の内容】
【特許請求の範囲】
【請求項１】
複数のデータセンターを備えるデータセンターシステムであって、
前記複数のデータセンターは、前記データセンターシステムに対応するサービスに対するいずれの要求も、前記複数のデータセンターのいずれかによって満たすことができるように構成され、前記複数のデータセンターは、少なくとも第１のデータセンター、第２のデータセンターおよび第３のデータセンターを含み、
前記第１のデータセンターは、前記データセンターシステムに対応し、前記第１のデータセンターによって受信される１または複数の要求を反映するように構成され、前記第１のデータセンターは、少なくとも、
前記第１のデータセンターによって受信された前記要求の少なくとも１つについて、少なくとも１つの前記要求が前記第２のデータセンターによって処理されるべきであると判定し、
少なくとも１つの前記要求が、前記第２のデータセンターに直接送られるのではなく、前記第３のデータセンターを通じて反映されるべきであると判定し、
少なくとも１つの前記要求を、前記第３のデータセンターによる前記第２のデータセンターへの反映のために、前記第３のデータセンターに転送する
ことを行うように構成された、システム。
【請求項２】
請求項１に記載のシステムであって、前記第１のデータセンターは、前記第１のデータセンターによって受信された前記要求の少なくとも別の１つについて、前記要求の前記少なくとも別の１つも前記第２のデータセンターによって処理されるべきであるが、少なくとも別の１つの前記要求は、前記第３のデータセンターを通じて最初に反映されることなく、前記第２のデータセンターに直接転送されるべきであると判定するようにも構成された、システム。
【請求項３】
請求項１に記載のシステムであって、前記第１のデータセンターは、前記第１のデータセンターによって受信された前記要求の少なくとも別の１つについて、前記要求の前記少なくとも別の１つが、前記第２のデータセンター又は第３のデータセンターを用いることなく、前記第１のデータセンター自身によって処理されるべきであると判定するようにも構成された、システム。
【請求項４】
請求項１に記載のシステムであって、前記第１のデータセンターは、
前記第１のデータセンターによって受信される前記要求の少なくとも別の１つについて、少なくとも別の１つの前記要求が前記第３のデータセンターによって処理されるべきであると判定し、
少なくとも別の１つの前記要求が、前記第３のデータセンターに直接送られるのではなく、前記第２のデータセンターを通じて反映されるべきであると判定し、
少なくとも別の１つの前記要求を、前記第２のデータセンターによる前記第３のデータセンターへの反映のために、前記第２のデータセンターに転送する
ことを行うようにも構成されたた、システム。
【請求項５】
請求項１に記載のシステムであって、前記第１のデータセンター、第２のデータセンターおよび第３のデータセンターのそれぞれは、レイテンシエンベロープ内で動作し、前記レイテンシエンベロープにおいて、前記データセンターのいずれかの間の、所定のレイテンシ未満の通信が生じるであろう確率は、特定の確率しきい値以内であることが検証されている、システム。
【請求項６】
請求項１に記載のシステムであって、前記第１のデータセンターは、負荷分散をプロトコルスタックのネットワーク層で行うように構成された、システム。
【請求項７】
請求項１に記載のシステムであって、前記第１のデータセンターは、少なくとも１つの前記要求の前記第３のデータセンターを通じた反映が、少なくとも１つの前記要求の前記第２のデータセンターへの直接の転送よりもより効率的に利用可能な帯域幅を利用すると、少なくとも１つの前記要求が、前記第２のデータセンターに直接送られるのではなく、前記第３のデータセンターを通じて反映されるべきであるとの判定の一部として判定するようにも構成された、システム。
【請求項８】
請求項１に記載のシステムであって、前記第１のデータセンターは、前記第２のデータセンターが、少なくとも１つの前記要求によって必要な状態情報を有すると、少なくとも１つの前記要求が前記第２のデータセンターによって処理されるべきであるとの判定の一部として判定するようにも構成された、システム。
【請求項９】
請求項１に記載のシステムであって、前記第１のデータセンターは、少なくとも１つの前記要求によって前の状態情報は必要でないと、少なくとも１つの前記要求が前記第２のデータセンターによって処理されるべきであるとの判定の一部として判定するようにも構成された、システム。
【請求項１０】
請求項１に記載のシステムであって、前記データセンターシステムは、特定の地理的領域のデータセンターを含み、１または複数の前記要求は、前記特定の地理的領域内から発された１又は複数の地域固有の要求を含む、システム。
【請求項１１】
データセンターシステムの複数のデータセンターを含むコンピューティング環境における第１のデータセンターにて実施され、それによって、前記データセンターシステムに対応するいずれのサービス要求も、前記複数のデータセンターのいずれかによって満たすことができるようする方法であって、前記複数のデータセンターは、少なくとも前記第１のデータセンター、第２のデータセンターおよび第３のデータセンターを含み、前記データセンターシステムに対応し、前記第１のデータセンターによって受信される複数のサービス要求に関する反映が行われ、前記方法は、
受信された複数の前記サービス要求の少なくとも１つについて、少なくとも１つの前記サービス要求が前記第２のデータセンターによって処理されるべきであると判定するステップと、
少なくとも１つの前記サービス要求が、前記第２のデータセンターに直接送られるのではなく、前記第３のデータセンターを通じて反映されるべきであると判定するステップと、
少なくとも１つの前記サービス要求を、前記第３のデータセンターによる前記第２のデータセンターへの反映のために、前記第３のデータセンターに転送するステップと
を含む、方法。
【請求項１２】
請求項１１に記載の方法であって、
受信された複数の前記サービス要求の少なくとも別の１つについて、前記サービス要求の前記少なくとも別の１つも、前記第２のデータセンターによって処理されるべきであると判定するステップと、
少なくとも別の１つの前記サービス要求を、前記第３のデータセンターを通じて最初に反映されることなく、前記第２のデータセンターに直接転送するステップと
を更に含む方法。
【請求項１３】
請求項１１に記載の方法であって、受信された複数の前記サービス要求の少なくとも別の１つについて、少なくとも別の１つの前記サービス要求を前記第１のデータセンター自身によって処理するステップを更に含む方法。
【請求項１４】
請求項１１に記載の方法であって、
受信される複数の前記サービス要求の少なくとも別の１つについて、少なくとも別の１つの前記サービス要求が前記第３のデータセンターによって処理されるべきであると判定するステップと、
少なくとも別の１つの前記サービス要求が、前記第３のデータセンターに直接送られるのではなく、前記第２のデータセンターを通じて反映されるべきであると判定するステップと、
少なくとも別の１つの前記サービス要求を、前記第２のデータセンターによる前記第３のデータセンターへの反映のために、前記第２のデータセンターに転送するステップと
を更に含む方法。
【請求項１５】
請求項１１に記載の方法であって、前記第１のデータセンター、第２のデータセンターおよび第３のデータセンターのそれぞれは、レイテンシエンベロープ内で動作し、前記レイテンシエンベロープにおいて、前記データセンターのいずれかの間の、所定のレイテンシ未満の通信が生じるであろう確率は、特定の確率しきい値以内であることが検証されている、方法。
【請求項１６】
請求項１１に記載の方法であって、前記第１のデータセンターは、負荷分散をプロトコルスタックのネットワーク層で行う、方法。
【請求項１７】
請求項１１に記載の方法であって、少なくとも１つの前記サービス要求が、前記第２のデータセンターに直接送られるのではなく、前記第３のデータセンターを通じて反映されるべきであると判定するステップは、少なくとも１つの前記サービス要求の前記第３のデータセンターを通じた反映が、少なくとも１つの前記サービス要求の前記第２のデータセンターへの直接の転送よりもより効率的に利用可能な帯域幅を利用すると判定するステップを含む、方法。
【請求項１８】
請求項１１に記載の方法であって、少なくとも１つの前記サービス要求が前記第２のデータセンターによって処理されるべきであると判定するステップは、前記第２のデータセンターが、少なくとも１つの前記サービス要求によって必要な状態情報を有すると判定するステップを含む、方法。
【請求項１９】
請求項１１に記載の方法であって、少なくとも１つの前記サービス要求が前記第２のデータセンターによって処理されるべきであると判定するステップは、少なくとも１つの前記サービス要求によって前の状態情報は必要でないと判定するステップを含む、方法。
【請求項２０】
請求項１１に記載の方法であって、前記データセンターシステムは、特定の地理的領域のデータセンターを含み、１または複数の前記サービス要求は、前記特定の地理的領域内から発された１又は複数の地域固有の要求を含む、方法。
【請求項２１】
データセンターシステムの複数のデータセンターを含むコンピューティング環境における第１のデータセンターにより使用され、それによって、前記データセンターシステムに対応するいずれのサービス要求も、前記複数のデータセンターのいずれかによって満たすことができるようするためのコンピュータープログラムであって、前記複数のデータセンターは、少なくとも前記第１のデータセンター、第２のデータセンターおよび第３のデータセンターを含み、前記コンピュータープログラムは、前記第１のデータセンターが含む１以上のプロセッサーに、少なくとも、
受信された少なくとも１つのサービス要求について、少なくとも１つの前記サービス要求が前記第２のデータセンターによって処理されるべきであると判定することと、
少なくとも１つの前記サービス要求が、前記第２のデータセンターに直接送られるのではなく、前記第３のデータセンターを通じて反映されるべきであると判定することと、
少なくとも１つの前記サービス要求を、前記第３のデータセンターによる前記第２のデータセンターへの反映のために、前記第３のデータセンターに転送することと
をさせる、コンピュータープログラム。
【請求項２２】
請求項２１に記載のコンピュータープログラムであって、前記データセンターシステムは、特定の地理的領域のデータセンターを含み、１または複数の前記サービス要求は、前記特定の地理的領域内から発された１又は複数の地域固有の要求を含む、コンピュータープログラム。